(57)【要約】【課題】送信電力を削減することができる基地局装置及び送信電力制御方法を提供すること。【解決手段】本発明の基地局装置１１０は、無線送信データを送信する送信装置１１３と、送信装置１１３の送信電力を制御する送信電力制御回路１１７と、移動機からの無線送信データを受信して受信データを生成する受信装置１１４と、前記受信データに含まれる再送要求を検出する再送検出回路１１５と、を具備する。送信電力制御回路１１７は、送信装置１１３の送信電力を送信開始の初期期間において予め決められた送信電力初期値から前記再送要求に応じて段階的に大きくし、かつ、再送検出回路１１５が前記再送要求を検出しなくなった時に前記送信電力の増大を停止する初期送信電力制御部１１７１を具備する。【選択図】      図１
2004328394.tif 000002
【特許請求の範囲】
【請求項１】
無線送信データを送信する送信手段と、前記送信手段の送信電力を制御する送信電力制御手段と、移動機からの無線送信データを受信して受信データを生成する受信手段と、前記受信データに含まれる再送要求を検出する再送要求検出手段と、を具備し、前記送信電力制御手段は、前記送信手段の送信電力を送信開始の初期期間において予め決められた送信電力初期値から前記再送要求に応じて段階的に大きくし、かつ、前記再送要求検出手段が前記再送要求を検出しなくなった時に前記送信電力の増大を停止する初期送信電力制御手段を具備することを特徴とする基地局装置。
【請求項２】
前記送信電力制御手段は、前記再送要求検出手段が一定時間以上において前記再送要求を検出しない時に前記送信電力を前記送信電力初期値に戻し、かつ、前記再送要求に応じて前記送信電力を段階的に大きくする送信電力継続制御手段を具備することを特徴とする請求項１記載の基地局装置。
【請求項３】
前記移動機の移動速度を検出する移動速度検出手段を具備し、前記送信電力制御手段は、前記移動速度検出手段により検出される前記移動速度に応じて前記送信電力を制御することを特徴とする請求項１又は請求項２に記載の基地局装置。
【請求項４】
無線送信データを送信する送信ステップと、前記送信ステップにおける送信電力を制御する送信電力制御ステップと、移動機からの無線送信データを受信して受信データを生成するデータ受信ステップと、前記受信データに含まれる再送要求を検出する再送要求検出ステップと、を具備し、前記送信電力制御ステップは、前記送信電力を送信開始の初期期間において予め決められた送信電力初期値から前記再送要求に応じて段階的に大きくし、かつ、前記再送要求を検出しなくなった時に前記送信電力の増大を停止する初期送信電力制御ステップを具備することを特徴とする送信電力制御方法。
【請求項５】
前記送信電力制御ステップは、前記再送要求検出ステップにおいて一定時間以上において前記再送要求を検出しない時に前記送信電力を前記送信電力初期値に戻し、かつ、前記再送要求に応じて前記送信電力を段階的に大きくするステップを具備することを特徴とする請求項４記載の送信電力制御方法。
【請求項６】
前記移動機の移動速度を検出する移動速度検出ステップを具備し、前記送信電力制御ステップは、前記移動速度検出ステップにおいて検出される前記移動速度に応じて前記送信電力を制御するステップを具備することを特徴とする請求項４又は請求項５に記載の送信電力制御方法。
【発明の詳細な説明】
【０００１】
【発明の属する技術分野】
本発明は、移動通信システムにおける基地局装置及び送信電力制御方法に関する。
【０００２】
【従来の技術】
従来の基地局装置及び送信電力制御方法として、非特許文献１及び非特許文献２に記載されたものがある。
【０００３】
また、従来の基地局装置を具備する移動通信システムとして、図５に示すものが知られている。図５に示すように、この従来の移動通信システム５００は、基地局装置５１０及び複数の移動機５２０を具備している。図５においては、複数の移動機５２０のうちの１つのみが示されている。基地局装置５１０は、移動機５２０に対し無線送信データの送信し、また、移動機５０２からの無線送信データを受信する。
【０００４】
基地局装置５１０は、アンテナ５１１、送受信共用器５１２、送信装置５１３、受信装置５１４及び再送制御回路５１５を具備している。送信装置５１３は、変調回路５１３１、拡散回路５１３２及び無線送信回路５１３３を具備している。受信装置５１４は、無線受信回路５１４１、逆拡散回路５１４２及び復調回路を５１４３を具備している。
【０００５】
変調回路５１３１は、送信データを受けて変調して変調送信データを生成して拡散回路５１３２に与える。拡散回路５１３２は、変調送信データを受けて拡散符号により拡散して拡散送信データを無線送信処理（アップコンバート等の処理）して無線送信回路５１３３に与える。無線送信回路５１３３は、拡散送信データを処理して送受信共用器５１２及びアンテナ５１１を介して無線送信データとして移動機５２０に送信する。
【０００６】
アンテナ５１１は、移動機５２０からの送信されてくる無線送信データを受信して受信データを生成して送受信共用器５１２を介して無線受信回路５１４１に与える。無線受信回路５１４１は、アンテナ５１１及び送受信共用器５１２からの受信データを無線受信処理（ダウンコンバート等の処理）して逆拡散回路５１４２に与える。逆拡散回路５１４２は、無線受信回路５１４１からの受信データを前記拡散符号により逆拡散して逆拡散受信データを生成して復調回路５１４３に与える。復調回路５１４３は、逆拡散回路５１４２からの逆拡散受信データを復調して復調された受信データを出力する。再送制御回路５１５は、復調回路５１４３からの復調された受信データのうちの移動機５２０から再送要求信号を検出し、再送命令信号を生成して変調回路５１３１に与える。
【０００７】
変調回路５１３１は、再送命令信号を受けた時に送信データを再送するために送信データを変調して変調送信データを生成して拡散回路５１３２に与える。拡散回路５１３２は、再送のために変調送信データを受けて拡散符号により拡散して拡散送信データを無線送信回路５１３３に与える。無線送信回路５１３３は、再送のために拡散送信データを処理して送受信共用器５１２及びアンテナ５１１を介して無線送信データとして移動機５２０に送信する。
【０００８】
従来の移動通信システム５００に用いられる送信電力制御機能を有しないチャネルの１例として、基地局装置５１０から移動機５２０に送信される下り共通制御チャネルを用いて説明する。
【０００９】
共通制御チャネルの送信電力値を決定する場合に、そのセルの無線回線設計を行う必要がある。この無線回線設計とは、セル半径及びセルエリア内の劣化率などを考慮し、基地局装置５１０及び移動機５２０の送信電力を決定する設計である。その設計をする上で、与えられた電力、すなわち、基地局装置５１０の総送信電力の範囲内で所定の通信品質を満足し、かつ、効率よくサービスエリアを構成しなければならない。これは、基地局装置５１０の総送信電力そのものが、複数のユーザの移動機５２０及び共通制御チャネルにより共有される資源（リソース）である。従って、下り回線の電力配分、特に下り共通制御チャネルの電力配分は、無線回線設計において重要なパラメータとなる。
【００１０】
複数の移動機５２０に受信される下り共通制御チャネルは、移動機５２０のセル選択制御、ハンドオーバー制御及び呼制御などの無線通信において根幹をなす様々な種類のチャネルを有する。下り共通制御チャネルは、個別チャネルのように送信電力制御が行われないため、送信電力値が固定されており、図６に示すように、セルＳ内に存在する全ての移動機５２０が受信可能であることが必要条件である。図６（Ａ）は、基地局装置５１０の送信電力がセルＳ（半径ｒ０）の全範囲に届いていることを示し、図６（ａ）は基地局装置５１０の送信電力Ｗ０を示している。
【００１１】
したがって、共通制御チャネルは、各チャネルの品質（要求条件）を満足し、かつ、効率よく電力配分することが必要である。
【００１２】
これらのことを踏まえて無線回線設計すると、一般に総送信電力に対して共通制御チャネルは数十％程度の電力を必要とし、共通制御チャネル以外のチャネルは残りの電力内で送信しなければならない。また、共通制御チャネル内で再送機能を有するチャネルの１例としてのＳＣＣＰＣＨ（Ｓｅｃｏｎｄａｒｙ    Ｃｏｍｍｏｎ    Ｃｏｎｔｒｏｌ  Ｐｈｙｓｉｃａｌ  Ｃｈａｎｎｅｌ）は、一般に共通制御チャネルの電力のうちの半分程度を必要とし、他チャネルに比べて多くの電力を必要としている。
【００１３】
共通制御チャネルの電力割合が大きいことは，総送信電力から共通制御チャネルの電力を差し引いた電力リソースについて、いくつかの課題が考えられる。例えば、ＤＳＣＨ（Ｄｏｗｎｌｉｎｋ  Ｓｈａｒｅｄ  Ｃｈａｎｎｅｌ）がパケット送信時に大きな電力を必要とし前記電力リソースを越えた場合に、総送信電力制御により結果的に伝送速度（スループット）の劣化などの影響を与えることがある。また、ＨＳＤＰＡ（Ｈｉｇｈ  Ｓｐｅｅｄ    Ｄｏｗｎｌｉｎｋ    Ｐａｃｋｅｔ    Ａｃｃｅｓｓ）において電力リソースを増加（共通制御チャネルの電力を削減）することができれば、伝送速度（スループット）の改善などを与えることが評価結果から分かっている。
【００１４】
したがって、共通制御チャネルはセル内に存在する全ての移動機が受信可能とし、かつ、共通制御チャネルの電力を削減することにより電力リソースを増加することが必要である。
【００１５】
なお、再送機能を有するチャネルに着目すると、ＳＣＣＰＣＨは、標準化において個別チャネルのように送信電力の制御がされず、移動機が受信してから再送要求に値する信号を基地局装置に送り、かつ、基地局装置がその要求に応じて再送するように規定されている。
【００１６】
【非特許文献１】
３ＧＰＰ  ＴＳ２５．２１１
【非特許文献２】
３ＧＰＰ  ＴＳ２５．３０１
【００１７】
【発明が解決しようとする課題】
しかしながら、従来の基地局装置においては、送信電力がセルの全範囲に届くようにセル内に存在する全ての移動機が受信可能とする一方で、送信電力の制御がされない共通制御チャネルは固定値に設定されているため、共通制御チャネルの送信電力の総送信電力に対する電力割合が大きいから、送信電力が増大してしまうという問題がある。
【００１８】
本発明は、かかる点に鑑みてなされたものであり、送信電力を削減することができる基地局装置及び送信電力制御方法を提供することを目的とする。
【００１９】
【課題を解決するための手段】
本発明の基地局装置は、無線送信データを送信する送信手段と、前記送信手段の送信電力を制御する送信電力制御手段と、移動機からの無線送信データを受信して受信データを生成する受信手段と、前記受信データに含まれる再送要求を検出する再送要求検出手段と、を具備し、前記送信電力制御手段は、前記送信手段の送信電力を送信開始の初期期間において予め決められた送信電力初期値から前記再送要求に応じて段階的に大きくし、かつ、前記再送要求検出手段が前記再送要求を検出しなくなった時に前記送信電力の増大を停止する初期送信電力制御手段を具備する構成を採る。
【００２０】
この構成によれば、送信電力を送信開始の初期期間において予め決められた送信電力初期値から前記再送要求に応じて段階的に大きくし、かつ、前記再送要求を検出しなくなった時に前記送信電力の増大を停止するため、セル内の移動機との通信に必要な最小限の送信電力に制御することができるから、送信電力を削減することができる。
【００２１】
本発明の基地局装置は、前記構成において、前記送信電力制御手段が、前記再送要求検出手段が一定時間以上において前記再送要求を検出しない時に前記送信電力を前記送信電力初期値に戻し、かつ、前記再送要求に応じて前記送信電力を段階的に大きくする送信電力継続制御手段を具備する構成を採る。
【００２２】
この構成によれば、前記効果に加えて、一定時間以上において前記再送要求を検出しない時に前記送信電力を前記送信電力初期値に戻し、かつ、前記再送要求に応じて前記送信電力を段階的に大きくするため、セル内の移動機との通信に必要な最小限の送信電力に制御することができるから、送信電力を削減することができる。
【００２３】
本発明の基地局装置は、前記構成において、前記移動機の移動速度を検出する移動速度検出手段を具備し、前記送信電力制御手段が、前記移動速度検出手段により検出される前記移動速度に応じて前記送信電力を制御する構成を採る。
【００２４】
この構成によれば、前記効果に加えて、移動機の移動速度に応じて送信電力を制御するから、移動機との通信を安定して行うことができる。
【００２５】
本発明の送信電力制御方法は、無線送信データを送信する送信ステップと、前記送信ステップにおける送信電力を制御する送信電力制御ステップと、移動機からの無線送信データを受信して受信データを生成するデータ受信ステップと、前記受信データに含まれる再送要求を検出する再送要求検出ステップと、を具備し、前記送信電力制御ステップは、前記送信電力を送信開始の初期期間において予め決められた送信電力初期値から前記再送要求に応じて段階的に大きくし、かつ、前記再送要求を検出しなくなった時に前記送信電力の増大を停止する初期送信電力制御ステップを具備するようにした。
【００２６】
この方法によれば、送信電力を送信開始の初期期間において予め決められた送信電力初期値から前記再送要求に応じて段階的に大きくし、かつ、前記再送要求を検出しなくなった時に前記送信電力の増大を停止するため、セル内の移動機との通信に必要な最小限の送信電力に制御することができるから、送信電力を削減することができる。
【００２７】
本発明の送信電力制御方法は、前記方法において、前記送信電力制御ステップが、前記再送要求検出ステップにおいて一定時間以上において前記再送要求を検出しない時に前記送信電力を前記送信電力初期値に戻し、かつ、前記再送要求に応じて前記送信電力を段階的に大きくするステップを具備するようにした。
【００２８】
この方法によれば、一定時間以上において前記再送要求を検出しない時に前記送信電力を前記送信電力初期値に戻し、かつ、前記再送要求に応じて前記送信電力を段階的に大きくするため、セル内の移動機との通信に必要な最小限の送信電力に制御することができるから、送信電力を削減することができる。
【００２９】
本発明の送信電力制御方法は、前記方法において、前記移動機の移動速度を検出する移動速度検出ステップを具備し、前記送信電力制御ステップは、前記移動速度検出ステップにおいて検出される前記移動速度に応じて前記送信電力を制御するステップを具備するようにした。
【００３０】
この方法によれば、前記方法の前記効果に加えて、移動機の移動速度に応じて送信電力を制御するから、移動機との通信を安定して行うことができる。
【００３１】
【発明の実施の形態】
本発明の骨子は、送信電力を送信開始の初期期間において予め決められた送信電力初期値から前記再送要求に応じて段階的に大きくし、かつ、前記再送要求を検出しなくなった時に前記送信電力の増大を停止することである。
【００３２】
以下、本発明の実施の形態について、図面を参照して詳細に説明する。
【００３３】
（実施の形態１）
図１は、本発明の実施の形態１に係る基地局装置を具備する移動通信システムを示すブロック図である。
【００３４】
図１に示すように、この移動通信システム１００は、基地局装置１１０及び複数の移動機１２０を具備している。図１においては、複数の移動機１２０の１つのみが代表して示されている。基地局装置１１０は、移動機１２０に対し無線送信データを送信し、また、移動機１２０からの無線送信データを受信する。
【００３５】
基地局装置１１０は、アンテナ１１１、送受信共用器１１２、送信装置１１３、受信装置１１４、再送検出回路１１５、再送制御回路１１６及び送信電力制御回路１１７を具備している。送信装置１１３は、変調回路１１３１、拡散回路１１３２及び無線送信回路１１３３を具備している。受信装置１１４は、無線受信回路１１４１、逆拡散回路１１４２及び復調回路１１４３を具備している。
【００３６】
送受信共用器１１２は、アンテナ１１１に接続されている。拡散回路１１３２の入力端子は、変調回路１１３１の出力端子に接続されている。無線送信回路１１３３の入力端子は、拡散回路１１３２の出力端子に接続されている。無線送信回路１１３３の出力端子は、送受信共用器１１２の入力端子に接続されている。
【００３７】
無線受信回路１１４１の入力端子は、送受信共用器１１２の出力端子に接続されている。逆拡散回路１１４２の入力端子は、無線受信回路１１４１の出力端子に接続されている。復調回路１１４３の入力端子は、逆拡散回路１１４２の出力端子に接続されている。再送検出回路１１５の入力端子は、復調回路１１４３の出力端子に接続されている。再送制御回路１１６及び送信電力制御回路１１７の入力端子は、再送検出回路１１５の出力端子に接続されている。また、送信電力制御回路１１７の入力端子は、再送制御回路１１６の出力端子に接続されている。再送制御回路１１６の出力端子は、変調回路１１３１の入力端子に接続されている。送信電力制御回路１１７の出力端子は、無線送信回路１１３３の入力端子に接続されている。
【００３８】
変調回路１１３１は、送信データを受けて変調して変調送信データを生成して拡散回路１１３２に与える。拡散回路１１３２は、変調送信データを受けて拡散符号により拡散して拡散送信データを無線送信回路１１３３に与える。無線送信回路１１３３は、拡散送信データを無線送信処理（アップコンバート等の処理）して送受信共用器１１２及びアンテナ１１１を介して無線送信データとして移動機１２０に送信する。
【００３９】
アンテナ１１１は、移動機１２０から送信される無線送信データを受信して受信データを生成して送受信共用器１１２を介して無線受信回路１１４１に与える。無線受信回路１１４１は、アンテナ１１１及び送受信共用器１１２からの受信データを無線受信処理（ダウンコンバート等の処理）して逆拡散回路１１４２に与える。逆拡散回路１１４２は、無線受信回路１１４１からの受信データを前記拡散符号により逆拡散して逆拡散受信データを生成して復調回路１１４３に与える。復調回路１１４３は、逆拡散回路１１４２からの逆拡散受信データを復調して復調された受信データを出力する。
【００４０】
再送検出回路１１５は、復調回路１１４３からの復調された受信データから再送要求信号を検出して再送制御回路１１６及び送信電力制御回路１１７に与え、かつ、再送要求回数を記憶して送信電力制御回路１１７に与える。再送制御回路１１６は、再送要求信号を受けた時に送信データの再送命令信号を変調回路１１３１に与える。
【００４１】
変調回路１１３１は、再送命令信号を受けた時に送信データを再送するために送信データを変調して変調送信データを生成して拡散回路１１３２に与える。拡散回路１１３２は、再送のために変調送信データを受けて拡散符号により拡散して拡散送信データを無線送信回路１１３３に与える。無線送信回路１１３３は、再送のために拡散送信データを処理して送受信共用器１１２及びアンテナ１１１を介して無線送信データとして移動機１２０に送信する。
【００４２】
送信電力制御回路１１７は、初期送信電力制御部１１７１及び送信電力継続制御部１１７２を具備している。初期送信電力制御部１１７１及び送信電力継続制御部１１７２の入力端子は、再送検出回路１１５及び再送制御回路１１６の出力端子に接続されている。初期送信電力制御部１１７１及び送信電力継続制御部１１７２の出力端子は、無線送信回路１１３３の制御端子に接続されている。
【００４３】
初期送信電力制御部１１７１は、無線送信回路１１３３を制御して無線送信回路１１３３の送信電力を送信開始の初期期間（再送要求回数が０である期間）において予め決められた送信電力初期値から再送要求回数に応じて段階的に大きくし、かつ、再送検出回路１１５が再送要求を検出しなくなった時に送信電力の増大を停止するように制御する。
【００４４】
例えば、初期送信電力制御部１１７１は、図２に示すように、無線送信回路１１３３の送信電力の送信電力初期値を図４（ａ）に示す送信電力ＷＡとし、次に送信電力を図４（ｂ）に示す送信電力ＷＢとし、さらに送信電力を図４（ｃ）に示す送信電力ＷＣとするように段階的に大きくする。この場合に、無線送信回路１１３３の送信電力がカバーする範囲は、図２（Ａ）、（Ｂ）、（Ｃ）に示すように、基地局装置１１０を中心としたセルＳ内の半径ｒ１、ｒ２、ｒ３（ｒ１＜ｒ２＜ｒ３）の円内の範囲となるように段階的な拡大する。
【００４５】
また、この場合における無線送信回路１１３３の送信電力の送信電力初期値は、例えば、基地局装置１１０がカバーしているセルの半分の範囲に送信電力が届くような値に設定されている。また、この場合における無線送信回路１１３３の送信電力の最大値は、基地局装置１１０がカバーしているセルの端縁まで無線送信データが達するような値に設定されている。
【００４６】
また、送信電力継続制御部１１７２は、初期送信電力制御部１１７１による制御の後（再送要求回数が１以上である期間）に、再送要求検出回路１１５が一定時間以上において再送要求を検出しない時に前記送信電力を前記送信電力初期値に戻し、かつ、前記再送要求に応じて前記送信電力を段階的に大きくする。
【００４７】
一方、移動機１２０は、アンテナ１２１、送受信共用器１２２、送信装置１２３、受信装置１２４、再送判定回路１２５を具備している。送信装置１２３は、変調回路１２３１、拡散回路１２３２及び無線送信回路１２３３を具備している。受信装置１２４は、無線受信回路１２４１、逆拡散回路１２４２及び復調回路１２４３を具備している。
【００４８】
送受信共用器１２２は、アンテナ１２１に接続されている。拡散回路１２３２の入力端子は、変調回路１２３１の出力端子に接続されている。無線送信回路１２３３の入力端子は、拡散回路１２３２の出力端子に接続されている。無線送信回路１２３３の出力端子は、送受信共用器１２２の入力端子に接続されている。
【００４９】
無線受信回路１２４１の入力端子は、送受信共用器１２２の出力端子に接続されている。逆拡散回路１２４２の入力端子は、無線受信回路１２４１の出力端子に接続されている。復調回路１２４３の入力端子は、逆拡散回路１２４２の出力端子に接続されている。再送判定回路１２５の入力端子は、復調回路１２４３の出力端子に接続されている。再送判定回路１２５の出力端子は、変調回路１２３１の入力端子に接続されている。
【００５０】
変調回路１２３１は、送信データを受けて変調して変調送信データを生成して拡散回路１２３２に与える。拡散回路１２３２は、変調送信データを受けて拡散符号により拡散して拡散送信データを無線送信回路１２３３に与える。無線送信回路１２３３は、拡散送信データを無線送信処理（アップコンバート等の処理）して共用器１２２及びアンテナ１２１を介して無線送信データとして基地局装置１１０に送信する。
【００５１】
アンテナ１２１は、基地局装置１１０からの送信されてくる無線送信データを受信して受信データを生成して送受信共用器１２２を介して無線受信回路１２４１に与える。無線受信回路１２４１は、アンテナ１２１及び送受信共用器１２２からの受信データを無線受信処理（ダウンコンバート等の処理）して逆拡散回路１２４２に与える。逆拡散回路１２４２は、無線受信回路１２４１からの受信データを前記拡散符号により逆拡散して逆拡散受信データを生成して復調回路１２４３に与える。復調回路１２４３は、逆拡散回路１２４２からの逆拡散受信データを復調して復調された受信データを出力する。
【００５２】
再送判定回路１２５は、復調回路１２４３からの復調された受信データから再送の判定をして再送が必要である時に再送命令信号を生成して変調回路１２３１に与える。
【００５３】
変調回路１２３１は、再送命令信号を受けた時に送信データを再送するために送信データを変調して変調送信データを生成して拡散回路１２３２に与える。拡散回路１２３２は、再送のために変調送信データを受けて拡散符号により拡散して拡散送信データを無線送信回路１２３３に与える。無線送信回路１２３３は、再送のために拡散送信データを処理して共用器１２２及びアンテナ１２１を介して無線送信データとして基地局装置１１０に送信する。
【００５４】
このように、本発明の実施の形態１によれば、送信電力を送信開始の初期期間において予め決められた送信電力初期値から前記再送要求に応じて段階的に大きくし、かつ、前記再送要求を検出しなくなった時に前記送信電力の増大を停止するため、セル内の移動機との通信に必要な最小限の送信電力に制御することができるから、送信電力を削減することができる。
【００５５】
また、本発明の実施の形態１によれば、一定時間以上において再送要求を検出しない時に送信電力を前記送信電力初期値に戻し、かつ、前記再送要求に応じて前記送信電力を段階的に大きくするため、セル内の移動機との通信に必要な最小限の送信電力に制御することができるから、送信電力を削減することができる。
【００５６】
（実施の形態２）
次に、本発明の実施の形態２について、図面を参照して詳細に説明する。図３は、本発明の実施の形態２に係る基地局装置を具備する移動通信システムを示すブロック図である。本発明の実施の形態２においては、本発明の実施の形態１と同じ構成要素には同じ参照符号を付して、その説明を省略する。
【００５７】
図３に示すように、本発明の実施の形態２に係る移動通信システム３００は、基地局装置３１０及び複数の移動機１２０を具備している。図３においては、複数の移動機１２０の１つのみが代表して示されている。基地局装置３１０は、移動機１２０に対し無線送信データを送信し、また、移動機１２０からの無線送信データを受信する。
【００５８】
基地局装置３１０は、本発明の実施の形態１に係る基地局装置１１０において、移動速度検出回路３１１を追加し、かつ、送信電力制御回路１１７の代わりに送信電力制御回路３１２を具備するものである。送信電力制御回路３１２は、送信電力制御回路１１７において速度応答電力制御部３１２１を追加してなる。
【００５９】
すなわち、基地局装置３１０は、アンテナ１１１、送受信共用器１１２、送信装置１１３、受信装置１１４、再送検出回路１１５、再送制御回路１１６、移動速度検出回路３１１及び送信電力制御回路３１２を具備している。送信装置１１３は、変調回路１１３１、拡散回路１１３２及び無線送信回路１１３３を具備している。受信装置１１４は、無線受信回路１１４１、逆拡散回路１１４２及び復調回路１１４３を具備している。送信電力制御回路３１２は、初期送信電力制御部１１７１、送信電力継続制御部１１７２及び速度応答電力制御部３１２１を具備している。
【００６０】
移動速度検出回路３１１の入力端子は、逆拡散回路１１４２の出力端子に接続されている。速度応答電力制御部３１２１の入力端子は、移動速度検出回路３１１の出力端子に接続されている。速度応答電力制御部３１２１の出力端子は、無線送信回路１１３３の制御端子に接続されている。
【００６１】
次に、本発明の実施の形態１と異なる本発明の実施の形態２の構成及び動作について説明する。
【００６２】
移動速度検出回路３１１は、逆拡散回路１１４２の出力信号を用いて復調した信号から移動機１２０の移動速度を検出する。移動速度検出回路３１１は、パイロットシンボルを用いてドップラ周波数を検出する周知の方式を用いて、移動機１２０の移動速度を検出している。
【００６３】
速度応答電力制御部３１２１は、移動速度検出回路３１１により検出される移動速度に応じて無線送信回路１１３３の送信電力を制御する。例えば、速度応答電力制御部３１２１は、移動速度が所定値以下の低速である場合に、再送要求を受けるごとに送信電力を大きくする段階を多くし、また、送信電力の設定値を小さくするように制御する｛図４（Ａ）参照｝。また、速度応答電力制御部３１２１は、移動速度が所定値以上高速の場合に、無線送信回路１１３３の送信電力を送信電力初期値から再送要求を受けるごとに大きくする段階を少なくし、また、段階ごとの送信電力の設定値を大きく設定するように制御する｛図４（Ｂ）参照｝。なお、速度応答電力制御部３１２１は、移動速度が所定値以上高速の場合に、基地局装置３１０がカバーしているセルの端縁まで無線送信データが達するような値に送信電力初期値を設定してもよい。
【００６４】
また、速度応答電力制御部３１２１は、移動機１２０の移動速度が高速の場合に初期段階の送信電力を最大にしておくか、段階を少なくするか、又は、段階毎の送信電力の設定を大きめに設定するかの制御を加える。また、速度応答電力制御部３１２１は、移動機１２０の移動速度が低速の場合に段階を多くするか、また、信電力の設定を小さめに設定するかの制御を加える。
【００６５】
このように、本発明の実施の形態２によれば、本発明の実施の形態１の効果に加えて、移動機１２０の移動速度に応じて送信電力を制御するから、移動機１２０との通信を安定して行うことができる。例えば、本発明の実施の形態２によれば、移動機１２０の移動速度が速い場合は移動機１２０の位置が大きく変化する場合にも電力制御が頻繁になるのを防止でき、制御負荷が大きくなるのを防止することができる。
【００６６】
なお、本発明の実施の形態１、２において、ある時間区間を境にして初期段階の送信電力を最大にする設定を可能とすることができる。例えば、本発明の実施の形態１、２において、昼のようにトラフィックが多いときは初期段階の送信電力を最大にする設定を可能とすることができる。
【００６７】
【発明の効果】
以上説明したように、本発明によれば、送信電力を送信開始の初期期間において予め決められた送信電力初期値から前記再送要求に応じて段階的に大きくし、かつ、前記再送要求を検出しなくなった時に前記送信電力の増大を停止するため、セル内の移動機との通信に必要な最小限の送信電力に制御することができるから、送信電力を削減することができる。
【図面の簡単な説明】
【図１】本発明の実施の形態１に係る基地局装置を具備する移動通信システムを示すブロック図
【図２】本発明の実施の形態１に係る基地局装置を具備する移動通信システムの動作を説明するための図
【図３】本発明の実施の形態２に係る基地局装置を具備する移動通信システムを示すブロック図
【図４】本発明の実施の形態２に係る基地局装置を具備する移動通信システムの動作を説明するための図
【図５】従来の基地局装置を具備する移動通信システムを示すブロック図
【図６】従来の基地局装置を具備する移動通信システムの動作を説明するための図
【符号の説明】
１００、３００  移動通信システム
１１０、３１０  基地局装置
１２０  移動機
１１１  アンテナ
１１２  送受信共用器
１１３  送信装置
１１４  受信装置
１１５  再送検出回路
１１６  再送制御回路
１１７  送信電力制御回路
１１３１  変調回路
１１３２  拡散回路
１１３３  無線送信回路
１１４１  無線受信回路
１１４２  逆拡散回路
１１４３  復調回路
３１１  移動速度検出回路
３１２  送信電力制御回路
３１２１  速度応答電力制御部
【図１】
2004328394.tif 000003
【図２】
2004328394.tif 000004
【図３】
2004328394.tif 000005
【図４】
2004328394.tif 000006
【図５】
2004328394.tif 000007
【図６】
2004328394.tif 000008